(57)【要約】基板（１２）に電子部品（１０）を焼結するための焼結プレスのためのプレスグループ（１４）は、圧縮チャンバ（２６）を仕切るフロントヘッド（２２）及びリアヘッド（２４）を有するマルチステムシリンダ（２０）を備える。フロントヘッド（２２）では、プレスステム（２８）は、互いに平行で、独立してスライド可能に支持されており、前記プレスステムの後端は、圧縮チャンバ（２６）内に突出している。圧縮チャンバ（２６）では、作動フラットガスケット（３０）が、プレスステムの後端を越えて延びている。作動フラットガスケット（３０）は、周辺部分（３０'）と係合する固定フレーム（３４）によってフロントヘッドに固定されており、加圧流体が前記固定フレームにも作用するように、固定フレーム（３４）は完全に収容されている。
2021530120.tif 000002
【特許請求の範囲】
【請求項１】
圧縮チャンバ（２６）を区画するフロントヘッド（２２）とリアヘッド（２４）とを有するマルチステムシリンダ（２０）を備える基板（１２）上で電子部品（１０）を焼結させるための焼結プレス用のプレスグループ（１４）であって、
前記フロントヘッドと前記リアヘッドの間に、圧縮チャンバ（２６）の周りに配置された環状シール要素（２５）が挿入され、
前記リアヘッド（２４）には、加圧流体を圧縮チャンバに導入するための入口通路（３２）が形成され、
前記フロントヘッド（２２）には、プレスステム（２８）がスライド支持され、互いに平行で独立し、プレスステムの後端が圧縮チャンバ（２６）に突出し、
前記圧縮チャンバ（２６）では、圧縮チャンバ（２６）が加圧されると、作動フラットガスケット（３０）が圧縮チャンバ内の圧力を各プレスステム（２８）に伝達するために、プレスステムの後端に作動するように、プレスステムの後端を越えて延び、
前記作動フラットガスケット（３０）は、作動フラットガスケット（３０）の周辺部（３０’）と係合する固定フレーム（３４）によってフロントヘッドに固定され、
前記固定フレーム（３４）が圧縮チャンバ内に完全に収容されているので、加圧流体が前記固定フレームにも作用する、プレスグループ（１４）。
【請求項２】
前記圧縮チャンバ（２６）は、前記作動フラットガスケット（３０）の反対側の底壁（２７）を形成し、前記固定フレーム（３４）は、前記底壁に対向し、分離した後面（３４ｂ）を有する、請求項１に記載のプレスグループ。
【請求項３】
前記圧縮チャンバ（２６）は、側壁（２９）によって半径方向に区切られ、前記固定フレームは、前記側壁に面し、前記側壁から分離された側面（３４ｃ）を有する、請求項１又は２に記載のプレスグループ。
【請求項４】
前記固定フレーム（３４）は、フロントヘッド（２２）に螺合されている、請求項１から３のいずれか１項に記載のプレスグループ。
【請求項５】
前記作動フラットガスケット（３０）は、圧縮チャンバを、前記プレスステムの後端が突出する前部（２６'）と、入口ダクト（３２）と流体的に連通する後部（２６）とに分割する、請求項１から４のいずれか１項に記載のプレスグループ。
【請求項６】
前記圧縮チャンバの前部は、フロントヘッドの下方部（２２ａ）に設けられている、請求項５に記載のプレスグループ。
【請求項７】
マルチステムシリンダ（２０）に一体であり、加熱プレス部材（４２）をスライド可能に支持する加熱ブロック（４０）をさらに備え、各加熱プレス部材（４２）は、焼結される各電子部品（１０）に作用するように各プレスステム（２８）によって動作可能であり、加熱ブロック（４０）は、加熱プレス部材（４２）を加熱するための加熱手段（４４）を備えている、請求項１から６のいずれか１項に記載のプレスグループ。
【請求項８】
前記各プレスステム（２８）は、各加熱プレス部材（４２）の平坦な端面と接触する円形端（２８”）で終端する、請求項７に記載のプレスグループ。
【請求項９】
前記加熱プレス部材（４２）は、焼結される各電子部品（１０）のハウジングの面積にほぼ一致するか、又はそれよりも大きい断面を有するロッド状である、請求項８に記載のプレスグループ。
【請求項１０】
前記加熱プレス部材（４２）は、基板（１２）によって形成された平面に対する電子部品（１０）の任意の傾斜に適応するように、加熱ブロック（４０）に作製された各軸方向シート（４６）内に横方向の遊びでスライドする、請求項８又は９に記載のプレスグループ。
【請求項１１】
ＰＴＥＥ製で、プレスステム（２８）又は存在する場合は加熱プレス部材（４２）の前端を超えて延びる保護フィルム（５２）を支持する周辺フレーム（５０）と、保護フィルム（５２）に対向し、前記前端に向かって、又は前記前端から前記保護フィルム（５２）に接着又は除去に適した吸引又はブロー手段と、を備える、請求項１から１０のいずれか１項に記載のプレスグループ。
【請求項１２】
前記請求項１から１１のいずれか１項に記載のプレスグループと、前記プレスグループ（１４）に対向し、少なくとも１つの基板（１２）を支持するのに適した支持ユニット（６０）と、を備え、前記プレスグループ（１４）の少なくとも１つ、及び支持ユニット（６０）は、格納された静止位置と前進したプレス位置との間で他方に対して軸方向に並進可能であり、前記電子部品（１０）は、プレスステム（２８）又は加熱プレス部材（４２）によって係合可能である焼結プレス。
【請求項１３】
前記支持ユニット（６０）は、固定反応ブロック（６２）、各基板（１２）を加熱するのに適した加熱ブロック（６４）、及び可動反応ブロック（６６）を備える、請求項１２に記載の焼結プレス。
【請求項１４】
関連する変形センサ（７０）を備えた少なくとも１つの変形シリンダ（６８）が前記固定反応ブロック（６２）に収容されている、請求項１３に記載の焼結プレス。
【請求項１５】
請求項１２から１４のいずれか１項に記載の焼結プレスを用いて基板上で電子部品を焼結する方法であって、以下のステップを含む方法。
焼結する全ての電子部品に適用される一定の焼結圧力を確立するステップ
プレスグループに、各電子部品のプレス面に応じた各スラストセクションを備えたプレスステムを装備するステップ
電子部品がプレスステムまたは加熱プレス部材の前端と接触するように、焼結接着剤及び焼結される電子部品を備えた基板をプレス内に配置するステップ
プレス部材を所定の焼結温度に加熱するステップ
圧縮チャンバを所定の焼結圧力まで加圧するステップ
所定の焼結時間の間、焼結圧力及び焼結温度を維持するステップ
焼結プレスから基板を取り外すステップ
【請求項１６】
前記基板も焼結温度に加熱される、請求項１５に記載の方法。
【請求項１７】
前記基板を位置決めするステップの前に、保護フィルムが、前記プレスステム又は加熱プレス部材の端部に接着される、請求項１５又は１６に記載の方法。
【請求項１８】
前記基板を除去するステップの後、前記圧縮チャンバは、プレスステムと加熱プレス部材とが圧力バーとして機能するように、焼結圧力よりも低いが大気圧よりも高い圧力になる、請求項１５から１７のいずれか１項に記載の方法。
【請求項１９】
前記圧縮チャンバを所定の焼結圧力まで加圧するステップ中に、シール膜が、プレスステムの後端と圧縮チャンバの前部の略平坦な底壁とに裁置されように変形する、請求項１５から１８のいずれか１項に記載の方法。
【発明の詳細な説明】
【技術分野】
【０００１】
本発明は、基板上の電子部品の焼結プレスに関するものであり、特に、そのようなプレスのためのプレスグループに関するものである。
【背景技術】
【０００２】
いくつかの電子用途では、ダイオード、ＩＧＢＴ、サーミスタ、ＭＯＳＦＥＴ等の統合された電子部品は、焼結接着剤層により基板に固定されることが公知である。
【０００３】
各構成要素を正しく焼結するためには、その投影面に比例する力で押し付け、所定時間、所定温度としなければならない。基板上に固定される電子部品には、寸法すなわち相対的なケーシングの投影面と厚さがあり、互いに大きく相違することがあるため、基板の全ての部品に作用するように単一のプレス部材で加圧していたのでは、全ての部品に必要な強度を得ることができない。
【０００４】
さらに、接着剤層が、全ての構成要素について、完全には同一で均一の厚さとはならないかもしれないという事実のため、さらなる複雑化を考慮する必要がある。
【０００５】
同一出願人による特許出願PCT/IB2017/058520では、現在も秘密であるが、従来技術に係る装置の欠点及び限界を克服することができる、支持体上で電子部品を焼結するための焼結プレスが提案されている。そのようなプレスは、特に、圧縮チャンバを区画するフロントヘッド及びリアヘッドを有するマルチステムシリンダを含むプレスグループを備えている。
【０００６】
フロントヘッドでは、互いに平行で独立したプレスステムが摺動支持されている。各プレスステムは、焼結される各電子部品と同軸であり、各電子部品に付与される力に比例するスラスト断面を有し、焼結される各電子部品の面積及び所定の焼結圧力のためであることが公知である。
【０００７】
圧縮チャンバには、リアチャンバとフロントチャンバに密閉分離するシール膜が延在している。リアチャンバは、焼結圧力を得るための圧力下で、流体の入口通路と流体的に連通している。プレスステムの後端はフロントチャンバに突出している。シール膜はプレスステムの後端に接触配置され、リアチャンバが焼結圧力まで加圧されると、シール膜は、各プレスステムに焼結圧力を伝達するために後端に当接することにより変形する。
【０００８】
したがって、そのような圧力は、各電子部品のためにプレスステムを使用することにより、表面に比例して焼結する各電子部品にスラスト力を作用させることを可能とし、前記プレスステムの断面は、圧力を付与される表面に応じて選択される。
【０００９】
実際には平坦なガスケットによって形成されるシール膜は、全てのプレスステムのシール機能と、全てのプレスステムに作用してそれらの寸法に適応するようにそれ自体を変形させるピストン機能の両方を実行する。
【００１０】
シール膜は、マルチステムシリンダのフロントヘッドとリアヘッドの間の周囲に保持される。したがって、フラットガスケットは、流体の圧力により変形するが、圧縮チャンバに対して軸方向には移動しない。
【００１１】
しかしながら、時間の経過とともに、数百バールにさえ達することもあるマルチステムシリンダの２つのヘッドの間の非保持中心領域に作用する高圧により、フラットガスケットが本来の弾力性を失ったり、あるいは破れたりする傾向があることが分かっている。したがって、一定回数のプレスサイクルの後、フラットガスケットを交換しなければならない。
【発明の概要】
【発明が解決しようとする課題】
【００１２】
本発明の目的は、上記のタイプのプレスグループを提案することであるが、フラットガスケットについて上記欠点を克服することができるものである。
【００１３】
前記目的は、請求項１に記載のプレスグループによって、及び請求項１２に記載の焼結方法によって達成される。
【図面の簡単な説明】
【００１４】
本発明に係るプレスグループの特徴及び利点は、添付図面を参照して、純粋に非限定的な例として提供される、その好ましい実施形態の以下の説明から容易に明らかになるであろう。
【図１】焼結プレスを使用する焼結アイランドの概略平面図。
【図２】プレスの正面図。
【図３】基板支持ユニット上で閉じられたプレスのプレスグループの軸方向断面図。
【図４】プレスの基板支持ユニットのみの軸方向断面図。
【図５】フラット作動ガスケットと、フロントヘッドに固定するための相対フレームのないプレスグループのマルチステムシリンダのフロントヘッドの平面図。
【図５ａ】フロントヘッドに配置されたフラットガスケットを作動させた状態での前図と同様な図。
【図５ｂ】作動するフラットガスケットをヘッドにブロックした固定フレームを備えた前図と同様の斜視図。
【図５ｃ】リアヘッドを透明に示した状態での組み立てられたマルチステムシリンダの斜視図。
【図６】プレスのプレスグループのみの軸方向断面図。
【図７】特に、非加圧圧縮チャンバと、基板の各電子部品と接触しているいくつかのプレスステムと、加熱プレス部材とを示すプレスグループの一部及び基板支持ユニットの拡大概略図。
【図７ａ】圧縮チャンバが加圧された状態での前図と同様な図。
【図８】基板の電子部品と接触しているいくつかのプレスステムと加熱プレス部材の斜視図。
【発明を実施するための形態】
【００１５】
以下、添付図面を参照して、本発明に係るプレスグループを有するプレス１を用いて、基板１２上に電子部品１０の焼結を行う焼結アイランドについて説明する。
【００１６】
基板１２は、例えば６つの基板１２を含むように適合されたパレット２に含まれる焼結プレス１に至る。
【００１７】
基板１２は、パレット２に形成され、適切な突起で支持するように適合された各シートに配置されている。
【００１８】
基板１２は、焼結接着剤層に配置された、焼結される電子部品１０（例えば、ＩＧＢＴ、ダイオード、サーミスタ、ＭＯＳＦＥＴ）を搬送する。部品１０は、予め決められた表面圧力、例えば３０ＭＰＡ、予め決められた温度、例えば、２６０℃で、１８０÷３００秒間処理されなければならない。
【００１９】
焼結されていない基板１２を備えたパレット２は、電子部品１０の位置を変更させないために、通常速度で衝撃を与えることのなくスムーズに取り扱わなければならない。
【００２０】
電子部品１０は、その厚さがファミリー毎に異なることを考慮して、それらの投影面に正比例する力で押圧しなければならない。
【００２１】
さらに、基板−接着剤−電子部品アセンブリには、例えば、１μｍ／１０ｍｍの非平行性が補償されなければならない。
【００２２】
図１に示すように、一実施形態では、焼結アイランドは、１５０℃までのパレット２の少なくとも１つ、好ましくは２つの予熱ステーション３、及び５０℃までのパレット２の少なくとも１つ、好ましくは３つの冷却ステーション４を備える。
【００２３】
一実施形態では、焼結アイランドは、例えば１０ｋｇの６軸タイプの６本爪のセルフセンタリンググリッパを備えた擬人化ロボット５を備える。
【００２４】
ロボット５は、
入口コンベヤ６と、２つの予熱ステーション３の読み取り機との間、
２つの予熱ステーション３と、焼結プレス１との間、
焼結プレス１と、３つの冷却ステーション４との間、及び
３つの冷却ステーション４と、出口コンベヤ７との間でパレット２を操作する。
【００２５】
２つの予熱ステーション３は、各基板１２の温度を１５０℃へと上昇させる。
【００２６】
例えば、２つの予熱ステーション３は、ＰＩＤ及びＰＷＭ熱抵抗ＰＴ１００によって制御される、外装された電気カートリッジによって加熱される。
【００２７】
図２に全体を示された焼結プレス１は、少なくとも１つ、好ましくは図示されている例では６つの基板１２のために、上部にプレスグループ１４を支持し、下部に支持ユニット６０を支持する垂直に延びるフレーム８を備える。
【００２８】
フレーム８は、油圧または電気アクチュエータ８０によって操作され、支持ユニット６０がスライドする縦ガイド９を備える。
【００２９】
一実施形態では、支持ユニット６０は、均一に加速及び減速動作で、２００ｍｍの往復運動をする。
【００３０】
特に、支持ユニット６０の上部位置は、完全に不可逆的であり、移動することなく最大２５０ＫＮの力に対抗するようにサイズを設定されている。
【００３１】
一実施形態では、２００ｍｍの往復運動は、１Ｋｗのブラシレスギア付きモータ８０を用いて３秒で実行し、金型交換及びメンテナンス機能のために減速された速度で実行することができる。
【００３２】
一実施形態では、フレーム８は、基板１２と焼結中のプレスグループ１４との間に挿入される、例えばＰＴＦＥの保護フィルム５２の交換のために、例えばブラシレスギアモータを備えた電動ワインダ９０及びアンワインダ９２を支持する。
【００３３】
一実施形態では、保護フィルム５２は、周辺フレーム５０によって支持されている。この周辺フレーム５０は、一実施形態では、保護フィルム５２に向けられた吸引／ブロー手段も支持する。
【００３４】
さらに、プレス１は、ＰＴＦＥフィルムとプレスグループ１４との間の空気を吸引するための真空ポンプ（図示せず）を備える。
【００３５】
一実施形態では、プレス１は、焼結領域内の静電荷を除去するためのブローイオン化装置（図示せず）も備える。
【００３６】
一実施形態では、フレーム８は、支持ユニット６０の交換を容易にするために、右手及び左手グリップ９４で挿入及び除去することができる水平スライドガイドをも支持する。
【００３７】
特に図３及び４に示す一実施形態では、支持ユニット６０は、３５０℃で動作することができる、変形センサ７０をそれぞれ有する６つの変形シリンダ６８が収容される固定反応ブロック６２を備える。
【００３８】
支持ユニット６０は、外装された加熱抵抗６４１が収容される加熱ブロック６４をさらに備える。
【００３９】
支持ユニットは、温度センサ６６２をそれぞれ備えた６つの可動反応ブロック６６をさらに備える。
【００４０】
プレスグループ１４は、圧縮チャンバ２６を一緒に区画するフロントヘッド２２及びリアヘッド２４を有するマルチステムシリンダ２０を備える。
【００４１】
フロントヘッド２２とリアヘッド２４との間には、圧縮チャンバ２６の周りに配置された環状シール要素２５が挿入されている。
【００４２】
例えば、環状シール要素２５は、フロントヘッド２２の後端面２２’の平坦部分と後部の前端面２４’の平坦部分との間に形成された各シート２５’に配置され、そのような平坦な部分は互いに対向して平行となっている。
【００４３】
したがって、環状シール要素２５は、圧縮チャンバ２６内の圧力下で、流体の２つの並んだヘッド２２、２４の間の逃げを防止する機能を発揮する。
【００４４】
例えば、環状シール要素２５はＯリングからなる。
【００４５】
リアヘッド２４には、加圧流体を圧縮チャンバ２６に導入するための入口通路３２が形成されている。
【００４６】
フロントヘッド２２では、互いに平行で独立したプレスステム２８がスライド支持されている。そのようなプレスステム２８の後端２８’は、圧縮チャンバ２６内に突出している。
【００４７】
圧縮チャンバ２６では、作動フラットガスケット３０は、圧縮チャンバ２６が加圧されると、そのような後端２８'に作用して、圧縮チャンバ内の圧力を各プレスステム２８に伝達するように、加圧ステム２８の後端２８’上に延びる。
【００４８】
例えば、プレスステム２８の各後端２８’は、フラットガスケット３０がプレスされる平坦面で終端する。
【００４９】
本発明の一態様によれば、作動フラットガスケット３０は、作動フラットガスケット３０の周辺部３０’と係合する固定フレーム３４によってフロントヘッド２２に固定される。
【００５０】
言い換えれば、フラットガスケット３０の周辺部分３０’は、少なくとも一部が、フロントヘッド２２と、固定フレーム３４の基部又は前面３４ａとの間に挿入される。
【００５１】
固定フレーム３４は、圧縮チャンバ２６内に完全に収容されているので、圧縮チャンバ２６に導入される加圧流体は、フラットガスケット３０と同様に、固定フレーム３４にも作用する。
【００５２】
前述のように、固定フレーム３４によって所定位置に保持されたフラットガスケット３０は、ガスケットを密封し、プレスステム２８上の膜を作動させるという２つの機能を実行する。
【００５３】
特に、圧縮チャンバ２６が加圧されると、流体の圧力は、フラットガスケットの中央部分だけでなく、固定フレーム３４を介して周辺部分３０’にも作用する。この結果、フラットガスケット３０は、その表面全体に亘って均一に応力が加えられ、同時に圧縮される。これにより、ガスケットの望ましくない変形が回避され、ガスケットの寿命が大幅に延びる。
【００５４】
より詳細には、リアヘッド２４は、圧縮チャンバ２６のための底壁２７を形成する。固定フレーム３４は、そのような底壁２７に対向し、その底壁２７から離間した後面３４ｂを有する。
【００５５】
一実施形態では、圧縮チャンバ２６は、側壁２９によって半径方向に仕切られ、固定フレーム３４は、前記側壁２９に対向し、前記側壁２９から分離した側面３４ｃを有する。
【００５６】
このようにして、加圧された流体は、移動又は変形を防止するように、固定フレーム３４の全露出側に作用する。
【００５７】
一実施形態では、固定フレーム３４は、固定ネジ３５によってフロントヘッド２２に螺合される。
【００５８】
しかしながら、固定フレーム３４のフロントヘッド２２への固定、例えば固定ネジ３５による固定は、圧縮室２６が加圧されているときに扁平ガスケット３０を保持する機能を有するのではなく、圧縮室が加圧されていないときに扁平ガスケット３０を正しい位置に保持する機能を有するだけであることを強調しておくべきである。実際、圧縮チャンバ２６内に加圧流体がある場合、フラットガスケット３０を所定位置にロックすることを可能にするのは、流体によって作用する圧力である。
【００５９】
一実施形態では、フラットガスケット３０は、圧縮チャンバ２６を、プレスステム２８の後端２８’が突出する前部２６’と、入口ダクト３２と流体連通している後部２６”とに分割する。
【００６０】
一実施形態では、圧縮チャンバ２６の前部２６’は、フロントヘッド２２の後端面２２’の下方部２２ａに形成されている。
【００６１】
圧縮チャンバ２６内に圧力がない場合、フラットガスケット３０はほぼ平坦な静止構成であり、プレスステム２８の後端２８’に僅かに接触するように配置される（図７）。
【００６２】
後部２６”が焼結圧力で加圧されると、フラットガスケット３０が変形することにより、各プレスステム２８に焼結圧力を伝達するために、プレスステム２８の後端２８'に隣接する（図７ａ）。
【００６３】
より正確には、フロントヘッド２２の下方部２２ａに対するプレスステム２８の後端２８’の突起、つまりフラットガスケット３０と前記下方部２２ａとの間の距離は、後部２６”が焼結圧力で加圧され、フラットガスケット３０が変形したときに、特に、図６ａに示すように、ガスケットがプレスステム２８の後端２８’に対してだけでなく、フロントヘッド２２の下方部２２ａに対しても接触するように選択される。
【００６４】
圧縮チャンバ２６のこの構造により、フラットガスケット３０は、制御流体が所望の焼結圧力でプレスステム２８の各後端２８’に直接作用するように振る舞う。換言すれば、フラットガスケット３０は、複数の独立したシリンダ−ピストンシステムの挙動をシミュレートする。
【００６５】
ここでプレスステム２８に戻ると、各プレスステム２８は、焼結される各電子部品１０に対して同軸で重心が一致し、各電子部品１０に加えられる力に比例するスラスト断面を有し、焼結される各電子部品の面積は公知であり、所定の焼結圧力のためのものである。
【００６６】
「重心」という用語は、各プレスステム２８が、各電子部品１０の重心と一致するステム軸を有することを意味する。
【００６７】
一実施形態では、プレスグループ１４は、マルチステムシリンダ２０と一体であり、加熱プレス部材４２をスライド可能に支持する加熱ブロック４０をさらに備える。各加熱プレス部材４２は、焼結される各電子部品１０に作用させるために、各プレスステム２８によって作動させることができる。
【００６８】
図８の斜視図は、異なる断面の各加熱プレス部材４２に作用する、同じく異なる断面の４つのプレスステム２８を示す。
【００６９】
加熱プレス部材４２は、支持ユニット６０によって支持された基板１２上にある各電子部品１０に隣接して示されている。
【００７０】
一実施形態では、プレスステム２８は、加熱プレス部材４２の平坦な表面４２’と接触している丸みを帯びた前端２８”を有する。例えば、プレスステム２８の前端２８”を球形に丸めて、焼結対象の対応する電子部品の重心点に圧縮力を集中させると同時に、プレスステム２８とプレス部材４２との間を断熱している。このように、加熱プレス部材４２は、プレス及び加熱される電子部品の表面に容易に適応させることができる。
【００７１】
一実施形態では、加熱プレス部材４２は、焼結される各電子部品１０のケーシングの面積にほぼ一致するか、それよりも大きい断面を有する棒状である。
【００７２】
一実施形態では、マルチステムシリンダ２０は、単一のプレスステム２８にその断面に比例する力を与えて、全ての電子部品１０に３０ＭＰＡに相当する圧力を作用させることができる。
【００７３】
一実施形態では、各基板１２について、ＩＧＢＴ用の４つのプレスステム及び部材、ダイオード用のプレスステム及び部材、サーミスタ用のプレスステム及び部材、ＭＯＳＦＥＴ用のプレスステム及び部材、合計４８個のプレス部材と相対的なプレスステムが設けられ、これらは全て独立しており、発生するスラスト力に比例した差別化された断面を有する。
【００７４】
一実施形態では、圧縮チャンバ２６は、３５ＭＰＡ（３５０バール）まで加圧することができる。
【００７５】
前述のように、加熱プレス部材４２は、基板１２上に焼結される電子部品１０に圧縮力と熱を伝達する役割を担っている。
【００７６】
一実施形態では、加熱ブロック４０は、外装された抵抗器４４及び温度センサ４５を備える。
【００７７】
プレス部材４２は、基板上で焼結される対応する電子部品１０に対して重心を押圧され、１μｍ／１０ｍｍの平行度に調整できるように、適切なクリアランスで加熱ブロック４０内にスライドする。
【００７８】
なお、電子部品１０の厚さが変化しても、他の部品の焼結圧力は変化しない。
【００７９】
また上述のように、各プレスステム２８の軸は、各電子部品１０の重心と一致しなければならないが、各プレスステム２８の軸に対するプレス部材４２の形状、断面及び位置は、電子部品１０の形状及び／又は基板上の位置に応じて選択することができる。
【００８０】
例えば、プレス部材２８は、互いに非常に接近しているか、長方形ではないか、あるいは非常に異なるサイズである電子部品１０を確実かつ正確に焼結するような方法で選択することができる。
【００８１】
また、プレスグループ１４の各プレス部材を、略球状の表面２８"を介して接触配置されたプレスステム２８及びプレス部材４２の２つの別個の構成要素で実施することにより、マルチステムシリンダ２０と加熱ブロック４０との間の熱的ブレークを得ることができる。例えば、加熱ブロック４０が３００℃に到達可能な温度で動作する間、冷却回路に接続されたマルチステムシリンダ２０は１００℃以下に維持することができる。
【００８２】
このように冷却されたマルチステムシリンダ２０は、加熱ブロック４０よりも摩耗が少なく、交換の頻度がはるかに少ない。
【００８３】
一般的な実施形態では、上記のプレスを使用して基板上に電子部品を焼結するための方法は、
焼結する全ての電子部品に一定の焼結圧力を設定し、
各電子部品のプレス面に応じた各スラスト部を有するプレスステムをプレスグループに装備し、
電子部品がプレス部材の端脚と接触するように、焼結接着剤を備えたプレス基板、及び焼結される電子部品をプレス内に配置し、
プレス部材を所定の焼結温度に加熱し、
圧縮チャンバを所定の焼結圧力まで加圧し、
所定の焼結時間、焼結圧力及び焼結温度を維持し、
焼結プレスから基板を取り外す。
【００８４】
一実施形態では、基板が配置される前に、保護フィルムがプレス部材の端部に接着される。
【００８５】
一実施形態では、圧縮チャンバを所定の焼結圧力に加圧するステップ中、シール膜は、プレスステムの後端及び圧縮チャンバの前部の略平坦な底部の両方に接触するように変形される。
【００８６】
次に、焼結サイクルをより詳細に説明する。
【００８７】
焼結工程が進行している間、ロボット５は、入口コンベヤ６に到着したパレット２を管理し、それらをピックアップして、２つの自由な予熱ステーション３のうちの１つに裁置する。
【００８８】
焼結工程中、ロボット５は、３つの冷却ステーション４に配置されたパレット２も管理する。プログラムされた冷却サイクルの終わりに、ロボットは、対応する冷却ステーションからパレットを取り出し、それを出口コンベヤ７に裁置する。
【００８９】
焼結工程の最後に、以下の工程を連続して実施する。
【００９０】
マルチステムシリンダ２０は、約３５ＭＰＡから約０．５ＭＰＡに減圧される。このようにして、加熱プレス部材４２は、所定の力を有するブランクホルダとして機能する。
【００９１】
マルチステムシリンダの減圧は、支持ユニット６０の反応ブロックに含まれる圧力センサによって制御される。
【００９２】
支持ユニットは、前進したプレス位置から、一様に加速及び減速されて下動し、２００ｍｍのストロークを完了する。
【００９３】
周辺フレーム５０は１０ｍｍだけ落下して保護フィルム５２を解放する。
【００９４】
次に、プレスグループ１４の真空ポンプを穏やかにパルス加圧して、フィルムをプレス部材から切り離す。
【００９５】
一体型フィルムの一部をプレスグループのプレス部材の下に配置するために、保護フィルムの巻き戻しリール及び巻き取りリールが作動される。この操作は、好ましくは、新たに焼結された基板を含むパレットがまだ存在する状態で実行されなければならない。これにより、接着剤又はフィルムの残留物が、支持ユニット６０に、あるいはまだ焼結されていない基板上に落下することが防止される。
【００９６】
ロボットは、プレスからパレットを取り出し、それを３つの冷却ステーションのフリーステーションに裁置する。
【００９７】
ロボットは、１５０℃での予熱サイクルを完了し、焼結された基板を備えたパレットを持ち上げ、それを支持ユニット６０に穏やかに裁置する。
【００９８】
次に、プレスグループ１４と保護フィルムとの間が真空引きされ、フィルムをプレスグループ１４のプレス部材に付着させる。
【００９９】
ロボットが衝突領域を離れるとすぐに、支持ユニット６０は、均一に加速及び減速されて上昇する。特に、一実施形態では、支持ユニット６０は、パレット及び関連する基板と共に移動する最後の１５ｍｍで、プレスグループ１４の周辺フレーム５０と衝突して持ち上げる。支持ユニット６０の最後の２ｍｍの移動で、パレットハウジングの中心に位置し、支持ユニット６０の各可動反応ブロック上に直接裁置された基板が、保護フィルムで覆われたプレス部材と衝突する。
【０１００】
このステップで僅かに加圧されるプレス部材４２は収縮してブランクホルダとして機能する。
【０１０１】
支持ユニット６０は、上ストローク終了位置に到達する。
【０１０２】
マルチステムシリンダは、プログラムされた圧力で加圧される。
【０１０３】
マルチステムシリンダの加圧は、各基板上のプレス部材によって付与される累積圧縮力を測定する、対応する変形センサによって制御される。
【０１０４】
一実施形態では、基板の焼結温度は、下部６４及び上部４０の加熱ブロックに含まれる外装カートリッジ抵抗によって生成される。
【０１０５】
一実施形態では、焼結温度は、プレスグループ内及び支持ユニット内で、例えば適切に配置された熱抵抗ＰＴ１００を用いて独立して制御される。
【０１０６】
好ましくは、基板は、可動反応ブロックを介して下方から加熱され、プレス部材及び保護フィルムを介して情報から加熱される。加熱条件が異なるので、基板への熱伝達の違いを補うために、加熱温度を上下で異ならせることができる。
【０１０７】
一実施形態では、基板上の電子部品は、２６０℃の温度でプログラムされた時間（例えば、３００秒）維持され、３０ＭＰＡでプレスされて、基板上の部品の焼結を実行する。
【０１０８】
焼結時間が経過すると、マルチステムシリンダが減圧され、プレスが上記のように再び開く。
【０１０９】
当業者は、偶発的な必要性を満たすために、本発明に係るプレスグループ及び焼結プレスの実施形態に対して、要素を他の機能的に同等のものといくつかの変更、調整、適合、及び交換を行うことができる。 以下の特許請求の範囲から逸脱する。 可能な実施形態に属すると記載されている特徴のそれぞれは、記載されている他の実施形態とは独立して取得することができる。
【図１】
2021530120.tif 000003
【図２】
2021530120.tif 000004
【図３】
2021530120.tif 000005
【図４】
2021530120.tif 000006
【図５】
2021530120.tif 000007
【図５ａ】
2021530120.tif 000008
【図５ｂ】
2021530120.tif 000009
【図５ｃ】
2021530120.tif 000010
【図６】
2021530120.tif 000011
【図７】
2021530120.tif 000012
【図７ａ】
2021530120.tif 000013
【図８】
2021530120.tif 000014
【国際調査報告】
2021530120.tif 000015
2021530120.tif 000016